(57)【要約】    【課題】  赤外線通信を介して情報機器から受信した所定のファイル形式のディジタルデータを、自動的に最適な用紙サイズの用紙に印刷することができるプリンタ装置を提供する。    【解決手段】  情報機器２と赤外線通信を介して通信可能なプリンタ装置１において、情報機器２から赤外線通信を介して受信したディジタルデータの種類(ｖＣａｒｄ、ｖＮｏｔｅ、ｖＭｅｓｓａｇｅ、ｖＣａｌｅｎｄｅｒ)と、前記ディジタルデータを印刷するのに最適な用紙サイズ（名刺サイズ、Ｌ版、Ａ４サイズ、Ａ６サイズ）とを関連付けた用紙サイズテーブル５１２を備える。前記ディジタルデータの種類に基づいて、用紙サイズテーブル５１２から最適な用紙サイズ情報を取得し、この用紙サイズ情報に合致する用紙をマルチカセットから自動給紙して印刷する。【選択図】        図３
2005329596.tif 000002
【特許請求の範囲】
【請求項１】
赤外線通信機能を有する情報機器から赤外線通信を介してディジタルデータを受信する手段と、
ディジタルデータの種類と該ディジタルデータの種類に最適な用紙サイズとを関連付けて記憶する用紙サイズ記憶手段と、
前記情報機器から受信したディジタルデータの種類に応じた用紙サイズ情報を前記用紙サイズ記憶手段から取得する手段と、
前記情報機器から受信したディジタルデータを、前記取得した用紙サイズ情報に対応するサイズの用紙に印刷する印刷手段とを有することを特徴とするプリンタ装置。
【請求項２】
前記ディジタルデータは、ｖＣａｒｄ、ｖＮｏｔｅ、ｖＣａｌｅｎｄｅｒ、又はｖＭｅｓｓａｇｅのファイル形式を有するディジタルデータであり、
前記用紙サイズ記憶手段は、ｖＣａｒｄ形式のディジタルデータには第１のサイズ、及びｖＮｏｔｅ形式のディジタルデータには前記第１のサイズよりも大きい第２のサイズをそれぞれ用紙サイズ情報として関連付けたことを特徴とする請求項１に記載のプリンタ装置。
【請求項３】
前記用紙サイズ記憶手段に記憶されている関連付けの内容を設定変更する手段を有することを特徴とする請求項１又は２に記載のプリンタ装置。
【請求項４】
複数種類の用紙を給紙可能な用紙カセットと、
前記用紙サイズ記憶手段によって取得した用紙サイズ情報と合致するサイズの用紙を前記用紙カセットから自動的に給紙する給紙手段とを有し、
前記印刷手段は、前記情報機器から受信したディジタルデータを、前記給紙手段によって給紙された用紙に印刷することを特徴とする請求項１乃至３のいずれかに記載のプリンタ装置。
【請求項５】
前記用紙サイズ記憶手段から取得した用紙サイズ情報に対応するサイズの用紙をセットすることを促すための情報を外部に報知する報知手段を有することを特徴とする請求項１乃至４のいずれかに記載のプリンタ装置。
【請求項６】
赤外線通信機能を有する情報機器と赤外線通信を行う手段を有するプリンタ装置の印刷方法であって、
ディジタルデータの種類と該ディジタルデータの種類に最適な用紙サイズとを関連付けて記憶する用紙サイズ記憶手段を予め設けておき、
前記情報機器から赤外線通信を介してディジタルデータを受信する工程と、
前記情報機器から受信したディジタルデータの種類に応じた用紙サイズ情報を前記用紙サイズ記憶手段から取得する工程と、
前記情報機器から受信したディジタルデータを、前記取得した用紙サイズ情報に対応するサイズの用紙に印刷する工程とを順次実行することを特徴とするプリンタ装置の印刷方法。
【請求項７】
赤外線通信機能を有する情報機器と赤外線通信を行う手段と、ディジタルデータの種類と該ディジタルデータの種類に最適な用紙サイズとを関連付けて記憶する用紙サイズ記憶手段とを有するプリンタ装置の印刷方法を実行するための、コンピュータで読み取り可能な制御プログラムであって、
前記情報機器から赤外線通信を介してディジタルデータを受信するステップと、
前記情報機器から受信したディジタルデータの種類に応じた用紙サイズ情報を前記用紙サイズ記憶手段から取得するステップと、
前記情報機器から受信したディジタルデータを、前記取得した用紙サイズ情報に対応するサイズの用紙に印刷するステップとを備えたことを特徴とする制御プログラム。
【請求項８】
データを受信する手段と、
受信したデータのフォーマットに応じて用紙サイズを取得する手段と、
受信したデータに基づく画像を取得した用紙サイズの用紙に印刷する手段とを有することを特徴とするプリンタ装置。
【請求項９】
データを受信するステップと、
受信したデータのフォーマットに応じて用紙サイズを取得するステップと、
受信したデータに基づく画像を取得した用紙サイズの用紙に印刷するステップとを有することを特徴とするプリント方法。
【請求項１０】
データを受信するステップと、
受信したデータのフォーマットに応じて用紙サイズを取得するステップと、
受信したデータに基づく画像を取得した用紙サイズの用紙に印刷するステップとを有することを特徴とするプリントプログラム。
【発明の詳細な説明】
【技術分野】
【０００１】
本発明は、情報機器と赤外線通信を行うことが可能なプリンタ装置及びその印刷方法、並びに前記プリンタ装置の印刷方法を実行するための制御プログラムに関する。
【背景技術】
【０００２】
近年、携帯電話やＰＤＡ（Personal Digital Assistant）に代表されるように、赤外線通信によってディジタルデータを送受信できる情報機器が急速に普及しつつある（例えば、特許文献１を参照）。特に、氏名、電話番号、住所、会社名、あるいは誕生日等といった個人情報の各項目データについて識別子を付加して順不同に保管する情報交換用ファイル形式のディジタルデータを、赤外線通信を介して送受信する情報機器の普及が目覚ましい。このような情報交換用ファイル形式の一例として、図１２に示すような、A versit Consortiumで規格化されたｖＣａｒｄ形式が知られている。
【０００３】
また、覚え書き等のメモデータについて識別子を付加して順不同に保管する情報交換用ファイル形式のディジタルデータを、赤外線通信を介して送受信する情報機器も普及している。このような情報交換用ファイル形式の一例として、図１３に示すようなｖＮｏｔｅ形式のファイルが知られている。このｖＮｏｔｅ形式のファイルには、メモデータだけではなく、エンコードされたディジタル画像データについて識別子を付加して順不同に保管することもできる。
【０００４】
このように赤外線通信機能を有する携帯電話やＰＤＡ等のモバイル情報機器では、情報交換用ファイル形式としてｖＣａｒｄやｖＮｏｔｅ形式を採用するものが増えてきており（例えば特許文献２を参照）、こうした状況の中で、この種のモバイル情報機器から赤外線通信によって送られたｖＣａｒｄ形式やｖＮｏｔｅ形式のディジタルデータを用紙に視認可能に印刷することが可能なプリンタ装置は、既に知られている。
【特許文献１】特開２００４−１１０７７７号公報
【特許文献２】特開２００１−２４３２３１号公報
【発明の開示】
【発明が解決しようとする課題】
【０００５】
しかしながら、ｖＣａｒｄ形式やｖＮｏｔｅ形式に対応し赤外線通信機能を有する上記従来のプリンタ装置では、次のような問題点があった。
【０００６】
モバイル情報機器から赤外線通信によって印刷データを上記プリンタ装置に送って紙に印刷を行う際には、該モバイル情報機器を手に持ちプリンタ装置に向けた状態で、印刷データを送信するという形態が採られることが多い。
【０００７】
そのため、印刷データの送信を開始した後に、装填している用紙が意図した用紙サイズと異なることに気付いた場合でも、送信者は通信経路を確保し続ける必要があるため、用紙を交換することができず、意図しない用紙に印刷して用紙を無駄にしてしまうことがあった。
【０００８】
また、上記プリンタ装置では、赤外線という無線通信の性格上、離れた場所から印刷データを受信することが可能であるため、印刷データの送信者は当該プリンタ装置の所有者に限らず、また印刷データの内容も多種多様である。そのため、上記プリンタ装置は、送信者や印刷データの種類をある程度絞ることが可能な有線プリンタ装置と比べて、用紙を交換する必要頻度が遥かに高く、用紙交換の手間が煩雑になるという問題があった。
【０００９】
本発明は上記従来の問題点に鑑み、赤外線通信を介して情報機器から受信した所定のファイル形式のディジタルデータを、自動的に最適な用紙サイズの用紙に印刷することができるプリンタ装置及びその印刷方法、並びに制御プログラムを提供することを目的とする。
【課題を解決するための手段】
【００１０】
上記目的を達成するために、本発明のプリンタ装置は、赤外線通信機能を有する情報機器から赤外線通信を介してディジタルデータを受信する手段と、ディジタルデータの種類と該ディジタルデータの種類に最適な用紙サイズとを関連付けて記憶する用紙サイズ記憶手段と、前記情報機器から受信したディジタルデータの種類に応じた用紙サイズ情報を前記用紙サイズ記憶手段から取得する手段と、前記情報機器から受信したディジタルデータを、前記取得した用紙サイズ情報に対応するサイズの用紙に印刷する印刷手段とを有することを特徴とする。
【００１１】
本発明のプリンタ装置の印刷方法では、赤外線通信機能を有する情報機器と赤外線通信を行う手段を有するプリンタ装置の印刷方法であって、ディジタルデータの種類と該ディジタルデータの種類に最適な用紙サイズとを関連付けて記憶する用紙サイズ記憶手段を予め設けておき、前記情報機器から赤外線通信を介してディジタルデータを受信する工程と、前記情報機器から受信したディジタルデータの種類に応じた用紙サイズ情報を前記用紙サイズ記憶手段から取得する工程と、前記情報機器から受信したディジタルデータを、前記取得した用紙サイズ情報に対応するサイズの用紙に印刷する工程とを順次実行することを特徴とする。
【００１２】
本発明の制御プログラムでは、赤外線通信機能を有する情報機器と赤外線通信を行う手段と、ディジタルデータの種類と該ディジタルデータの種類に最適な用紙サイズとを関連付けて記憶する用紙サイズ記憶手段とを有するプリンタ装置の印刷方法を実行するための、コンピュータで読み取り可能な制御プログラムであって、前記情報機器から赤外線通信を介してディジタルデータを受信するステップと、前記情報機器から受信したディジタルデータの種類に応じた用紙サイズ情報を前記用紙サイズ記憶手段から取得するステップと、前記情報機器から受信したディジタルデータを、前記取得した用紙サイズ情報に対応するサイズの用紙に印刷するステップとを備えたことを特徴とする。
【００１３】
本発明のプリント方法は、データを受信するステップと、受信したデータのフォーマットに応じて用紙サイズを取得するステップと、受信したデータに基づく画像を取得した用紙サイズの用紙に印刷するステップとを有することを特徴とする。
【００１４】
本発明のプリントプログラムは、データを受信するステップと、受信したデータのフォーマットに応じて用紙サイズを取得するステップと、受信したデータに基づく画像を取得した用紙サイズの用紙に印刷するステップとを有することを特徴とする。
【発明の効果】
【００１５】
本発明によれば、赤外線通信を介して情報機器から受信した所定のファイル形式のディジタルデータを、自動的に最適な用紙サイズの用紙に印刷することが可能になる。
【発明を実施するための最良の形態】
【００１６】
本発明のプリンタ装置及びその印刷方法、並びに制御プログラムの実施の形態について、図面を参照しながら説明する。
【００１７】
［第１の実施の形態］
図１は、本発明の第１の実施の形態に係るプリンタ装置の外観構成を示す斜視図であり、図２は、本実施の形態に係る携帯電話装置の外観構成を示す正面図である。
【００１８】
図１に示すプリンタ装置１は、ＩｒＤＡ規格に基づく送受信を行う送受信部３０１を備え、図２に示す携帯電話装置２と赤外線通信を行うことが可能に構成されている。表示部３０２には、例えば、携帯電話装置２から受信したｖＣａｒｄ形式（個人情報を機器間やインターネット上で交換するためにＩＭＣ（Internet Mail Consortium）において規格化された、電子名刺ファイルの標準フォーマット）、ｖＮｏｔｅ形式（メモの標準フォーマット）、ｖＭｅｓｓａｇｅ形式（メールの標準フォーマット）、あるいはｖＣａｌｅｎｄｅｒ形式（個人スケジュール情報のためのフォーマット）といったファィル形式を有するディジタルデータうち、いずれかのディジタルデータが表示される。そして、このプリンタ装置１は、キー入力部３０３において入力された情報に応じて、紙搬送部３０４から搬送される用紙に視認可能に印刷を行い、印刷された用紙を排紙口３０５から排紙するように構成されている。
【００１９】
携帯電話装置２は、図２に示すように、キー入力部４０１、表示部４０２、アンテナ４０３、及び送受信部４０４などを配設し、内部に制御部などの回路各部を収納している。キー入力部４０１は、一般の携帯電話機が備えるテンキー、オフフックボタン、オンフックボタン及びメニューキー等の機能キーを有している。この機能キーには、ディジタルデータをプリンタ装置１等の外部機器に赤外線出力するための赤外線データ出力キーも含まれている。
【００２０】
また、携帯電話装置２は、上部に突設されたアンテナ４０３を使用して、一般の電話通話機能や電子メール送受信機能を実現し、上部中央に配設された送受信部４０４を使用して、ＩｒＤＡ規格に基づく送受信を行いプリンタ装置１へのデータ送受信機能などを実現している。
【００２１】
図３は、図１中のプリンタ装置１の機能的な構成を示すブロック図である。
【００２２】
このプリンタ装置１は、制御プログラムを格納する不揮発性メモリ５１１と、不揮発性メモリ５１１に格納された制御プログラムを実行して本プリンタ装置１の全制御を行うＣＰＵ５０１と、ＣＰＵ５０１が各プログラムを実行する際にワークエリアやラスタ記録部として機能するＲＡＭ５０２とを有する。
【００２３】
不揮発性メモリ５１１は、用紙サイズテーブル５１２のほか、プログラムとして、ディジタルデータの種類を判別するためのコード（ディジタルデータ種類判別コード）５１３、用紙サイズ情報を取得するためのコード（用紙サイズ情報取得コード）５１４、自動給紙を実行するためのコード（自動給紙コード）５１５、用紙サイズを表示するためのコード（用紙サイズ表示コード）５１６、及び用紙サイズテーブル５１２の内容を設定するためのコード（用紙サイズテーブル設定コード）５１７が格納されている。
【００２４】
さらに、プリンタ装置１は、本プリンタ装置１の電源ユニット５０３と、液晶（ＬＣＤ）から構成される表示部５０４と、印刷用画像情報を出力する画像出力部５０５と、操作者からの入力を受け付ける入力部５０６と、用紙を印刷開始位置まで搬送する紙搬送部５０７と、印刷部５０９を制御する印刷制御部５０８と、ディジタルデータを視認可能に用紙に印刷する印刷部５０９と、赤外線通信を介して携帯電話装置２とのデータ送受信を行う赤外線通信部５１０とを備えている。
【００２５】
本実施形態におけるプリンタ装置１の構成では、不揮発性メモリ５１１に格納されている前記したプログラムのうち、用紙サイズ表示コード５１６と用紙サイズテーブル設定コード５１７は使用しない。また、紙搬送部５０７はマルチカセット方式を採用する用紙カセット（複数種類の用紙を給紙可能な用紙カセット）を有するものとし、この用紙カセットには複数種類の用紙サイズの用紙が装填される。
【００２６】
図４は、図１中の用紙サイズテーブル５１２の内容を示す概念図である。
【００２７】
同図に示すように、用紙サイズテーブル５１２は、前記ディジタルデータ（ｖＣａｒｄ形式、ｖＮｏｔｅ形式、ｖＭｅｓｓａｇｅ形式、ｖＣａｌｅｎｄｅｒ形式）の種類情報と、前記ディジタルデータを印刷するのに最適な用紙サイズ情報とが関連付けられて記憶されている。具体的には、ｖＣａｒｄ形式には名刺サイズの用紙、ｖＮｏｔｅ形式にはＬ版サイズの用紙、ｖＭｅｓｓａｇｅ形式にはＡ６サイズの用紙、ｖＣａｌｅｎｄｅｒ形式にはＡ４サイズの用紙、というようにそれぞれが関連付けられている。
【００２８】
次に、本実施の形態に係るプリンタ装置１の動作について、図５に示すフローチャートを参照しつつ説明する。
【００２９】
まず、ステップＳ６０１では、プリンタ装置１の送受信部３０１において、携帯電話装置２から送信されたディジタルデータ（例えば、図１２で示したｖＣａｒｄ）を受信し、ＲＡＭ５０２に格納する。
【００３０】
続くステップＳ６０２では、ステップＳ６０１においてＲＡＭ５０２に格納されたｖＣａｒｄ形式のディジタルデータをディジタルデータ情報解析コード５１３によって解析し、これによって、ディジタルデータ種類情報（ｖＣａｒｄ）を取得し、ＲＡＭ５０２に格納する。
【００３１】
さらに、ステップＳ６０３では、ステップＳ６０２において解析されたｖＣａｒｄ形式のディジタルデータを表示部５０４に表示する。その画面表示例を図６に示す。図６中の７０１は氏名、７０２は住所、７０３は電話番号、７０４はＦＡＸ番号、７０５は電子メールアドレスを示す。
【００３２】
その後のステップＳ６０４では、ステップＳ６０２において解析された結果に基づき、画像出力部５０５を駆動し、印刷用画像情報をＲＡＭ５０２に格納する。さらに、ステップＳ６０５では、用紙サイズ情報取得コード５１４によって、ディジタルデータの種類と最適な用紙サイズとを関連付けた用紙サイズテーブル５１２（図４）から、ステップＳ６０２で取得したディジタルデータ種類情報（ｖＣａｒｄ）に応じた用紙サイズ情報を取得する。ここでは、図４の例から、用紙サイズ情報として名刺サイズを取得することになる。
【００３３】
次のステップＳ６０６では、自動給紙コード５１５によって紙搬送部５０７を駆動し、ステップＳ６０４で得られた用紙サイズ情報（名刺サイズ）に基づいて自動的に名刺サイズの用紙を給紙する。また、ステップＳ６０７では、印刷制御部５０８を介して印刷部５０９を駆動し、予備吐出や、目詰まり解消、ノズルの回復などを行う。
【００３４】
そして、ステップＳ６０８では、ステップＳ６０４においてＲＡＭ５０２に格納された画像情報を印刷し、ステップＳ６０９では、印刷済み用紙が用紙排出口３０５から排出される。
【００３５】
本実施の形態では、一般に名刺情報を含むｖＣａｒｄ形式のディジタルデータは名刺サイズの用紙に印刷することが多い点に着目し、赤外線通信を介して携帯電話装置２から受信したｖＣａｒｄ形式のディジタルデータに最適な用紙サイズとして名刺サイズを自動的に選択して給紙し、その名刺サイズの用紙に視認可能に印刷することができる。これにより、携帯電話装置２から受信したデジタルデータを、間違えた用紙サイズの用紙に印刷出力し、用紙を無駄にするという失敗を確実に防ぐことができる。
【００３６】
［第２実施の形態］
本実施の形態では、上記した第１の実施の形態の構成において、携帯電話装置２からｖＮｏｔｅ形式のディジタルデータを受信した場合の例について説明する。
【００３７】
本実施の形態の構成は、図１〜図３で説明したものと同じである。このような構成において、本実施の形態のプリンタ装置１がＩｒＤＡ規格に基づく赤外線通信を介して携帯電話装置２から例えば図１３で示すようなｖＮｏｔｅ形式のディジタルデータ（ｖＮｏｔｅ）を受信した場合、第１の実施の形態と同様に、ディジタルデータ解析コード５１３によって当該ディジタルデータを解析し、ディジタルデータの種類情報（ｖＮｏｔｅ）を取得する。さらに、画像出力部５０５を駆動して当該ディジタルデータに含まれている画像情報を出力し、用紙サイズテーブル５１２から前記ディジタルデータを印刷するのに最適な用紙サイズ（Ｌ版サイズ）の情報を取得する。そして、自動給紙コード５１５によって前記用紙サイズ（Ｌ版サイズ）の用紙を給紙し、前記ディジタルデータを用紙に視認可能に印刷する。
【００３８】
本実施の形態によれば、一般に、画像情報を含むｖＮｏｔｅはＬ版サイズのような写真サイズの用紙に印刷することが多い点に着目し、赤外線通信を介して携帯電話装置２から受信したｖＮｏｔｅ形式のディジタルデータに最適な用紙サイズとしてＬ版サイズを自動的に選択して給紙し、受信したｖＮｏｔｅ形式のディジタルデータをＬ版サイズの用紙に視認可能に印刷することができる。
【００３９】
［第３の実施の形態］
第３の実施の形態のプリンタ装置は、図１〜図３に示した上記第１の実施の形態と同一の構成において、不揮発性メモリ５１１内の用紙サイズ表示コード５１６を使用するようにし、用紙の自動給紙を行わずに用紙の手動給紙に対応可能にした点に特徴がある。また、紙搬送部５０７は、マルチカセット方式ではなく、一種類の用紙を給紙可能な用紙カセットを使用するシングルカセット方式で構成したものである。なお、本実施形態におけるプリンタ装置１の構成では、不揮発性メモリ５１１に格納されている前記したプログラムのうち、用紙サイズテーブル設定コード５１７は使用しない。
【００４０】
図７は、本発明の第３の実施の形態に係るプリンタ装置の動作を示すフローチャートである。
【００４１】
まず、ステップＳ８０１からステップＳ８０５までは、第１の実施の形態における図５に示したステップＳ６０１からステップＳ６０５までとそれぞれ同一の処理を行い、その後、ステップＳ８０６へ進む。
【００４２】
ステップＳ８０６では、ｖＣａｒｄ形式のディジタルデータに最適な用紙サイズ（名刺サイズ）の用紙カセット（又は用紙）を装填するようにユーザに促すための画面を表示部５０４に表示する（図８の画面表示例を参照）。そして、次のステップＳ８０７では、名刺サイズの用紙カセット（又は用紙）が装填されたか否かを判断する。その判断が肯定「ＹＥＳ」であればステップＳ８０８へ、否定「ＮＯ」であればステップＳ８０７の判断を繰り返す。
【００４３】
その後のステップＳ８０８からステップＳ８１０では、図５に示したステップＳ６０７からステップＳ６０９までとそれぞれ同一の処理を行い、本ルーチンを終了する。
【００４４】
本実施の形態によれば、赤外線通信を介して携帯電話装置２から受信したｖＣａｒｄ形式のディジタルデータに最適な用紙サイズとして名刺サイズを自動的に選択し、その名刺サイズの用紙を手動給紙した後に印刷を行うことができる。これにより、シングルカセット方式の構成にも対応することができ、受信したディジタルデータを間違えた用紙サイズの用紙に印刷出力し、用紙を無駄にするという失敗を防ぐことができる。
【００４５】
［第４の実施の形態］
本実施の形態では、上記した第３の実施の形態に係る、用紙の手動給紙に対応した構成において、携帯電話装置２からｖＮｏｔｅ形式のディジタルデータを受信した場合の例について説明する。
【００４６】
上記した第３の実施の形態の構成において、プリンタ装置１がＩｒＤＡ規格に基づく赤外線通信を介して携帯電話装置２から例えば図１３で示すようなｖＮｏｔｅ形式のディジタルデータを受信した場合は、前述した第２の実施の形態と同様の処理（図５のステップＳ６０１からステップＳ６０５まで）を実行した後、得られた最適な用紙サイズ（Ｌ版サイズ）の用紙カセット（又は用紙）を装填するように促すための画面を表示部５０４に表示し、用紙サイズ（Ｌ版サイズ）の用紙がセットされたときにその用紙を給紙して前記ディジタルデータの印刷処理を実行する。
【００４７】
本実施の形態によれば、赤外線通信を介して携帯電話装置２から受信したｖＮｏｔｅ形式のディジタルデータに最適な用紙サイズがＬ版サイズであることを自動的に選択し、そのＬ版サイズの用紙を手動給紙した後に印刷を行うことができる。
【００４８】
［第５の実施の形態］
第５の実施の形態のプリンタ装置は、図１〜図３に示した上記第１の実施の形態と同一の構成において、不揮発性メモリ５１１内の用紙サイズテーブル設定コード５１７を使用するようにし、ディジタルデータ（ｖＮｏｔｅ）に関連付けられているＬ版サイズを、例えば４×６サイズに設定可能に構成した点に特徴がある。
【００４９】
図９は、本発明の第５の実施の形態に係るプリンタ装置の動作を示すフローチャートである。
【００５０】
まず、ステップＳ１１０１では、プリンタ装置１の表示部５０４に、例えば図１０に示すような設定メニュー用の画面１００１を表示する。設定メニューの1つである用紙サイズメニュー１００２には、図１０に示すように、ディジタルデータの種類（ｖＣａｒｄ、ｖＮｏｔｅ、ｖＭｅｓｓａｇｅ、ｖＣａｌｅｎｄｅｒ）と、この各ディジタルデータにそれぞれ関連付けられている最適な用紙サイズ（名刺サイズ、Ｌ版サイズ、Ａ６サイズ、Ａ４サイズ）とが表示される。
【００５１】
次のステップＳ１１０２では、キー入力部３０３内の上下キーを押し下げ、カーソル１００３を「ｖＮｏｔｅ」の行に移動し、さらにステップＳ１１０３では、決定キーを押し下げ、プルダウンメニュー１００４を表示する（図１０参照）。そして、ステップＳ１１０４では、左右キーを押し下げ、用紙サイズを、例えば右キーを押し下げするごとに、名刺→Ｌ版→４×６→Ａ６→Ａ４→Ａ３の順に表示する。
【００５２】
ステップＳ１１０５では、ｖＮｏｔｅ形式に関連付けられている用紙サイズが「４×６」と表示されたところで、決定キーが押し下げられたか否かを判断する。その判断が肯定（ＹＥＳ）であればステップＳ１１０６へ進み、否定「ＮＯ」であればステップＳ１１０５の判断を繰り返す。
【００５３】
ステップＳ１１０６では、図１１に示すように、不揮発性メモリ５１１内の用紙サイズテーブル５１２には、ｖＮｏｔｅ形式に最適な用紙サイズとして「４×６」サイズが設定される。
【００５４】
本実施の形態によれば、用紙サイズテーブル５１２の内容をユーザが適宜に設定することができるので、ユーザが所望する用紙サイズの用紙に簡単に印刷を行うことができる。
【００５５】
なお、上述した各実施の形態に係るプリンタ装置は、インクジェットプリンタに限らず、用紙に記録する手段を具備していれば、他の印刷方式のプリンタ、例えばレーザープリンタや熱転写式プリンタ等であっても良い。
【００５６】
また、上述したディジタルデータは、ｖＣａｒｄ、ｖＮｏｔｅ、ｖＭｅｓｓａｇｅ、ｖＣａｌｅｎｄｅｒといった形式に限らず、一般にプリンタ装置が扱うディジタルデータとなるものであれば良い。例えば、ＪＰＥＧデータやＴＩＦＦデータなどの画像データ形式であっても良いし、ＨＴＭＬやＸＭＬなどのドキュメント形式データであっても良い。
【００５７】
また、上述した各実施の形態に係るプリンタ装置において、用紙サイズ情報取得コード５１４によって得られた用紙サイズ情報に合致する用紙サイズの用紙が用紙カセットに装填されていない場合は、他の用紙サイズの用紙にレイアウト印刷しても良い。例えば、用紙サイズテーブル５１２によってｖＣａｒｄ形式と名刺サイズが関連付けられているが、用紙カセットに名刺サイズの用紙が無くＬ版サイズの用紙が装填されていた場合において、名刺サイズの大きさで２段組でＬ版サイズの用紙に印刷を行うなどといった構成も可能である。
【００５８】
また、本発明を適用する赤外線通信機能を有する情報機器は、携帯電話に限定されるものではなく、ＰＤＡなど他の情報機器でも良いことは言うまでもない。
【００５９】
本発明は、上述した実施形態の装置に限定されず、複数の機器から構成されるシステムに適用しても、１つの機器から成る装置に適用しても良い。前述した実施形態の機能を実現するソフトウェアのプログラムコードを記憶した記憶媒体をシステムあるいは装置に供給し、そのシステムあるいは装置のコンピュータ（又はＣＰＵやＭＰＵ）が記憶媒体に格納されたプログラムコードを読み出し実行することによっても、完成されることは言うまでもない。
【００６０】
この場合、記憶媒体から読み出されたプログラムコード自体が前述した実施形態の機能を実現することになり、そのプログラムコードを記憶した記憶媒体は本発明を構成することになる。プログラムコードを供給するための記憶媒体としては、例えば、フロッピー（登録商標）ディスク、ハードディスク、光ディスク、光磁気ディスク、ＣＤ−不揮発性メモリ、ＣＤ−Ｒ、磁気テープ、不揮発性のメモリカード、不揮発性メモリを用いることができる。また、コンピュータが読み出したプログラムコードを実行することにより、前述した実施形態の機能が実現されるだけではなく、そのプログラムコードの指示に基づき、コンピュータ上で稼動しているＯＳなどが実際の処理の一部又は全部を行い、その処理によって前述した実施形態の機能が実現される場合も含まれることは言うまでもない。
【００６１】
さらに、記憶媒体から読み出されたプログラムコードが、コンピュータに挿入された機能拡張ボードやコンピュータに接続された機能拡張ユニットに備わるメモリに書き込まれた後、次のプログラムコードの指示に基づき、その拡張機能を拡張ボードや拡張ユニットに備わるＣＰＵなどが処理を行って実際の処理の一部又は全部を行い、その処理によって前述した実施形態の機能が実現される場合も含まれることは言うまでもない。
【図面の簡単な説明】
【００６２】
【図１】第１の実施の形態に係るプリンタ装置の外観構成を示す斜視図である。
【図２】実施の形態に係る携帯電話装置の外観構成を示す正面図である。
【図３】図１中のプリンタ装置の機能的な構成を示すブロック図である。
【図４】図１中の用紙サイズテーブルの内容を示す概念図である。
【図５】第１の実施の形態に係るプリンタ装置の動作を示すフローチャートである。
【図６】ｖＣａｒｄ形式のディジタルデータの画面表示例を示す図である。
【図７】第３の実施の形態に係るプリンタ装置の動作を示すフローチャートである。
【図８】最適な用紙サイズを表示する際の画面表示例を示す図である。
【図９】第５の実施の形態に係るプリンタ装置の動作を示すフローチャートである。
【図１０】用紙サイズテーブルを設定する際の画面表示例を示す図である。
【図１１】用紙サイズテーブル５１２の設定変更例を示す図である。
【図１２】ｖＣａｒｄ形式のファイル例を示す図である。
【図１３】ｖＮｏｔｅ形式のファイル例を示す図である。
【符号の説明】
【００６３】
１  プリンタ装置
２  携帯電話装置
５０４  表示部
５０９  印刷部
５１０  赤外線通信部
５１１  不揮発性メモリ
５１２  用紙サイズテーブル
５１３  ディジタルデータ種類判別コード
５１４  用紙サイズ情報取得コード
５１５  自動給紙コード
５１６  用紙サイズ表示コード
５１７  用紙サイズテーブル設定コード
【図１】
2005329596.tif 000003
【図２】
2005329596.tif 000004
【図３】
2005329596.tif 000005
【図４】
2005329596.tif 000006
【図５】
2005329596.tif 000007
【図６】
2005329596.tif 000008
【図７】
2005329596.tif 000009
【図８】
2005329596.tif 000010
【図９】
2005329596.tif 000011
【図１０】
2005329596.tif 000012
【図１１】
2005329596.tif 000013
【図１２】
2005329596.tif 000014
【図１３】
2005329596.tif 000015